(57)【要約】【課題】  紐等で被綴じ紙を綴じた冊子を横置きにした場合，冊子の表紙に題名を表示すればその検索は容易である。しかし冊子を何冊も横に重ねた場合，下になる冊子は表紙が隠れてしまい検索ができない。また冊子を立てた場合背表紙に被綴じ紙の題名の表示がないと検索ができない。冊子となった被綴じ紙の検索に美感を保ち，簡単容易に取り外しができ，背表紙の機能は不要であるが見出の機能を果たすもの。【解決手段】  被綴じ紙の中に１枚である矩形薄片に背見出となる部分を区画し両側に側縁を設け被綴じ紙の綴じ具用の孔と重なる綴じ代を持つ孔２個以上穿孔し，その孔を被綴じ紙の綴じ具に嵌入し背を見出として利用する。被綴じ紙の中に矩形薄片を差し込む際，綴じ具を本発明に係る物品の孔に通孔すのではなく矩形薄片の端から矩形薄片上の孔まで入れた切込みを横から滑らせ嵌入する。矩形薄片は側縁自体が厚みが嵩張らない合成樹脂ポリエチレン等を使用する。【選択図】図１
2007290331.tif 000002
【特許請求の範囲】
【請求項１】
殆ど厚みのない矩形薄片は，２辺が被綴じ紙の二つの綴じ具用の綴じ孔の間隔より適宜長く，背見出となる矩形の背がこの２辺の端と並行に矩形薄片中央にあり，他の２辺が被綴じ紙の綴じ具用の綴じ孔の綴じ代より適宜長く被綴じ紙の中に挿入される背の側縁となる，背見出とその両側縁とが一体となっていることを特徴とする背見出としての綴じ具の補助具
【請求項２】
背見出とその両側縁とを区画するため矩形薄片の長い方の辺に平行に中心線から適宜に幅をとりな２本の半身の切目を入れ折返しができるようにした折目があることを特徴とする背見出としての綴じ具の補助具
【請求項３】
「請求項２」の折目から被綴じ紙の綴じ具用の綴じ孔の綴じ代と略同一の綴じ代を持つ２以上の横長等の孔が各側縁上にあることを特徴とする背見出としての綴じ具の補助具
【請求項４】
可撓性ある通し片を備えた被綴じ紙の綴じ具を横滑りで「請求項３」の孔に嵌合させられるよう矩形薄片の側縁の各孔から矩形薄片の綴じ代と反対側に側縁の端まで切込みがあることを特徴とする背見出としての綴じ具の補助具
【請求項５】
「請求項４」の切込みの端に隅切りがあることを特徴とする背見出としての綴じ具の補助具。
【発明の詳細な説明】
【技術分野】
【０００１】  被綴じ紙の表と裏を被うという意味で表紙・裏表紙，被綴じ紙の背である厚みを被うという意味で背表紙という言葉が一般的に使われる。表紙・裏表紙という言葉は被綴じ紙と同じ大きさ，背表紙という言葉はその丈が被綴じ紙の丈と同じであるが幅が被綴じ紙の厚さと同じ大きさの形状を示す。本発明では，その形状が被綴じ紙の見出としての機能を果せる規模の大きさがあればいいので表紙・裏表紙・背表紙の機能は必要ない。本出願においては，表紙・裏表紙・背表紙という言葉は一般的意味で使用し，背表紙の部分に相当する箇所を背見出，表紙・裏表紙の部分に相当する箇所を側縁とそれぞれ称する。【０００２】  本発明は，被綴じ紙に綴じ具を通すための穿孔用の市販穿孔機の２個の孔の間隔が同一，穿孔された被綴じ紙の孔の縁と被綴じ紙の端の距離である綴じ代がほぼ同一であるという特徴を利用し，穿孔機で穿孔し，綴じ具で被綴じ紙を綴じ冊子にしたとき冊子の検索用に，簡単に取り付けられるが容易に外れない被綴じ紙の一定の厚さの背をかたかなのコの字の様に包んで差し込む形式の背表紙の形状を持った背見出に関するものである。
【背景技術】
【０００３】  紙を綴じて整理する際，被綴じ紙に穿孔し，その綴じ孔に紐等の綴じ具を通して被綴じ紙を緊縛する方法は古来からの普遍的方法である。そのため多くの穿孔機が製造販売され利用されている。本発明は被綴じ紙穿孔機の孔の９Ａ・１５Ａ，２５Ａ・３１Ａ間隔，孔の直径，綴じ代が事実上統一されている穿孔技術と関連する。【０００４】  背見出に関する過去の考案・発明では，素材が厚いので背見出とその側縁を貼着・付設する方法が採られている。本発明は，従来の背見出とその側縁を貼着・付設するという手間を克服した。【０００５】  本発明は，厚さが被綴じ紙よりも薄いがそれに半身の切り目をいれその切れ目を折返しとして使用することが可能なポリエチレン等の合成樹脂素材の存在と切り目を入れる技術開発の結果に起因する。【０００６】
【特許文献１】  実開昭１７−８８９９
【特許文献２】  実開昭５２−１３２６２４
【特許文献３】  実開昭５４−７３８２８
【特許文献４】  実開昭５４−８７８２１
【特許文献５】  実開昭５７−３４４８４
【特許文献６】  実開平３−３１９８５
【特許文献７】  実開平３−３１９８６
【特許文献８】  実開平３−３１９８７
【発明の開示】
【発明が解決しようとする課題】
【０００７】  被綴じ紙に綴じ具用の穿孔をするために使う穿孔機には，１孔式から多孔式まである。最も多く使用されている穿孔機は２孔式穿孔機である。この２孔式穿孔機で被綴じ紙に穿孔して綴じ孔とし，孔に綴じ具を通して被綴じ紙を綴じ冊子とする。綴じ具としては，紐，可撓・可塑性のある板状の金具，紐状のビニール等が使用される。紐等で綴じた冊子を横置きにしたときは，冊子の表紙に題名等を書いておけば冊子１冊の検索は容易である。しかし冊子を何冊も横に重ねた場合，下になる冊子は表紙が隠れてしまい検索ができなくなる。また冊子を立てて置いたとき冊子の背表紙に被綴じ紙の題名等の表示がないと検索ができない。【０００８】  矩形の母紙に被綴じ紙の穿孔機の穿孔による綴じ孔と同一間隔の孔が１組あり，その母紙の孔を被綴じ紙の綴じ具に固定し，母紙の余りで被綴じ紙を包んでその包まれる書類の厚さの幅でコの字に母紙を折って背見出を作り出す。その際，綴じ具が固定されていない母紙の他方の幅を綴じ具を通す２孔の間隔より狭くし、被綴じ紙の孔の間に単に挟み込む方法を採る背見出がある。旗のような形状のもので背見出を作る感じである。背見出が固定されない不便がある。【０００９】  表紙・背表紙・裏表紙が一体となっていて母紙の両側の表紙・裏表紙の綴じ代側に背表紙を中心にして対称に横長の孔を作る。そして、その母紙を被綴じ紙を綴じるときに背表紙として孔に綴じ具を通して緊縛する。そして被綴じ紙が増えたときに綴じ具をその横長の孔の中で移動する方法を採る背表紙がある。この形状の背表紙は加除式出版物緊縛に利用されている。被綴じ紙の増減があるごとに綴じ具の先端を被綴じ紙の孔と背表紙の孔に通さなければならない不便がある。又背表紙の横長の孔が露出すると見苦しく美感を損ねる。【００１０】  背表紙と表紙・裏表紙となる部分が一体となった母紙の表紙となる半分に綴じ具を固定し，他の半分で被綴じ紙を包み込んで背表紙と裏表紙を作り出す形状の書類綴じがある。母紙の略中央部に背表紙となる幅で適宜縦に２ないし３本の折れ目が入れてある。フラットファイルという商品名で大量に市販されている。この形状の背表紙は，背が固定されないので，背となる部分が視覚的に明確でなくまた美的感覚が生じない。【００１１】  被綴じ紙の背を包んで，被綴じ紙の表紙と裏表紙の綴じ孔あたり糊代を設けそこに背表紙を貼付する形状の背表紙がある。しかし被綴じ紙の厚みは一定しない場合が多いく，綴じ紙を追加する場合，この背表紙だとその都度，背表紙を剥がさなければならない不便がある。【００１２】  背表紙の真裏又は裏表紙の裏，すなわち被綴じ紙の納まる側に開閉式の紐ではない書類綴じ具を固定するバインダーと呼ばれる書類綴じがある。背表紙は付いているが，被綴じ紙の納まる厚みが一定しており被綴じ紙の厚さにかかわらず，この形状の書類綴じは一定の場所を必要とするという欠点がある。【００１３】  本発明は，冊子となった被綴じ紙を検索するため，見出としての機能を果たすよう背見出に側縁を設け，被綴じ紙の綴じ孔と重なる孔を穿孔し，孔の縁より欠損がない単なる切込みを端まで入れ，その切込みを利用して横滑りに孔を綴じ具に嵌入し一旦被綴じ紙の背に簡単にかつ堅固に取り付け���必要に応じて容易に取り外し，再使用することができるようにすることを目的とする
【課題を解決するための手段】
【００１４】  本発明は，冊子となった被綴じ紙を検索するため，図１の２・３・１８・１９・２を順に結んだ線で表わされる背見出が図１の１・２・１９・２０・２１・２２・２３・２７・２８・２９・１，３・４・５・６・７・１１・１２・１３・１７・１８・３を順に結んだ線で表わされる２側縁を有しその各側縁を被綴じ紙の中に差込み綴じ具に嵌入できるようにするようにする。そのため，各側縁に被綴じ紙の綴じ孔と図１の１０・１６・２６・３２で表わされる綴じ代を略同じくしする図１の９・１５・２５・３１で表わされる孔を設け，その孔から側縁の端まで綴じ具を横から滑り混ませる図１の８・１４・２５・３１で表わされる切込みをいれる。本発明は，被綴じ紙の背に簡単に取り付け綴じ具で緊縛して背見出として固定し，必要に応じて綴じ具を緩めて背見出を容易に取り外し，再使用することができるようにすることを目的とする物品の形状に関するものである。【００１５】  被綴じ紙が綴じ具で緊縛されている状態のとき緊縛を一度緩め，被綴じ紙の綴じ代と本発明である背見出に一体として側縁として付いている薄片の綴じ代を略同一にとり側縁の孔を綴じ具の横から切込みを滑らせて，綴じ具に嵌入し、再び被綴じ紙を緊縛することで背見出を固定するものである。切込みに隅切りを設け綴じ具の横滑りの入口とすることによって，綴じ具を切込みに誘導し易すくなる。この隅切りがないとコの字型の背見出を被綴じ紙の中に差し込むとき綴じ具を探すのが面倒である。【００１６】  本発明に係る背見出は，側縁と一体となっている矩形薄片で背見出の縦長の中心線に対して左右対称な２つ以上の綴じ具用の孔があり、その孔は，背見出と側縁を画する折れ目から被綴じ紙の綴じ孔の綴じ代とほぼ一致するところに穿孔さる。そして，本発明の背見出の２側縁上の孔と綴じ具用の孔の綴じ代とが重なるようにする。【００１７】  本発明の背見出の２側縁上の孔に，被綴じ紙の綴じ具を緊縛した状態のまま背見出を滑らせて横から綴じ具に嵌入できるようにする。そのため２側縁上の孔に側縁の端まで図１の８・１４・２５・３１切込みを入れる。【００１８】  矩形薄片に一体となっている背見出と２側縁の内，２側縁は被綴じ紙の中に図２で表されるように挟み込むので，被綴じ紙の背に背見出が密着しあたかも糊付けされているように見え外観上の美感がある。
【発明の効果】
【００１９】  以下本発明の実施のの形態を図１・図２・図３に基づいて説明する。
図３の２・３・１８・１９・２を順に結んだ線で表される背見出に直接見出文字を書くことでまた印字したテープを貼り付けることで冊子となった被綴じ紙の検索に効果を発揮する。【００２０】  本発明になる背見出は，図２で表されるように被綴じ紙に接着固定をしないので取り外しが可能であり何回も使える。図１の２・３・１８・１９・２を順に結んだ線で表される背見出の幅は，被綴じ紙の厚さと無関係に５ミリでも１５ミリでも自由に設定できる。背見出側縁は背見出の幅に合わせ被綴じ紙の背を包むので被綴じ紙の背の任意の位置を選んで嵌入できる。【００２１】  被綴じ紙の背の厚さと同じ厚さの背見出を作る必要がない。【００２２】  背見出の２側縁にある各々の孔を横長あるいは被綴じ紙の孔より直径を長くし，背見出の折れ目から見て綴じ代の最も離れた位置で本発明を綴じ具に嵌入したとき，被綴じ紙の背と本発明の背見出との間に少し間隙ができる可能性がある。しかしこの間隙は２ないし３ミリ程度であり，本発明の背見出しの検索機能を阻害しない。この間隙は，穿孔機による被綴じ紙の綴じ具用孔の綴じ代が穿孔機の機種によって２ないし３ミリ程度違いがあっても本発明が使用できる機能を果たす。【００２３】  背見出を被綴じ紙の背に取り付ける際，被綴じ紙の背の厚さを紙一枚ずつで調整し本発明の背見出で包むことにより背見出内寸と同じ厚さの背見出を冊子となった被綴じ紙に取り付けることができる。本発明には，背見出と側縁とを画するため矩形薄片素材の半身を切った折返し用直線の折れ目を入れので，背見出と側縁を９０度に曲げることができる。本発明を使用することにより，冊子となった被綴じ紙の整理に美的感覚が生ずる。被綴じ紙の背と本発明の背見出との間に間隙がでないように調整できるので，冊子となった被綴じ紙と本発明の背見出に一体感があり製本した本のように見える。本発明の素材にほとんど厚みがない点からも冊子となった被綴じ紙を手に持ったとき出張りがないので異物感がない。【００２４】  矩形薄片の素材として，折れ目に弾性を持たせるため合成樹脂ポリエチレン等現在一般にホルダーとして使用されているものを容易に使用することができる。【００２５】  被綴じ紙の綴じ具として可塑性のある扁平な金属，紐等が発売されている。本発明はそれらの綴じ具を使用して被綴じ紙を綴じる場合に直ちに利用できる。
【図面の簡単な説明】
【００２６】
【図１】  本発明の矩形薄片を広げ俯瞰した図
【図２】  本発明の背見出側縁の孔と２孔式の穿孔機で綴じ具用穿を穿孔した被綴じ紙の孔に重ね，綴じ具を使用しないで背見出を冊子となった被綴じ紙の背に取り付けた状態を示す図
【図３】  本発明の使用状態図。扁平な金属製綴じ具を本発明の背見出の側縁に孔に横から滑らせて嵌入させ背見出の右側面から冊子となった被綴じ紙を見た状態。
【符号の説明】
【００２７】３・１８，２・１９を結んだ線              ・・・・・  半身を切った折返し
９・１５・２５・３１                      ・・・・・  側縁の孔
９Ａ・１５Ａ・２５Ａ・３１Ａ              ・・・・・  被綴じ紙の綴じ具用孔
８・１４・２４・３１                      ・・・・・  切込み
１０・１６・２６・３２                    ・・・・・  綴じ代
５・６・７・５を順に結んだ三角形          ・・・・・  切込み隅切
１１・１２・１３・１１を順に結んだ三角形  ・・・・・  切込み隅切
２１・２２・２３・２１を順に結んだ三角形  ・・・・・  切込み隅切
２７・２８・２９・２７を順に結んだ三角形  ・・・・・  切込み隅切
１・２・１９・２０・２１・２２・２３
・２７・２８・２９・１を順に結んだ矩形    ・・・・・  側縁
２・３・１８・１９                        ・・・・・  背見出
３・４・５・６・７・１１・１２
・１３・１７・１８・３を順に結んだ矩形    ・・・・・  側縁
【図１】
2007290331.tif 000003
【図２】
2007290331.tif 000004
【図３】
2007290331.tif 000005